(57)【要約】      （修正有）【課題】洗面所などの収納戸棚のヒンジ開閉式の扉を利用し、その上端開放側コーナー部に懸け置くことにより、ヘアードライヤーを固定できるヘアードライヤー固定補助具を提供する。【解決手段】収納戸棚の扉５の上端開放側コーナー部に斜めに懸け置くための懸け枠１、ヘアードライヤーを保持するアーム２、及び当該アーム２を水平に保つための支脚３より構成される簡単な線状構造の道具でヘアードライヤーを固定できるようにした。【選択図】図１
0003204137.tif 000002
【実用新案登録請求の範囲】
【請求項１】
洗面所などの収納戸棚のヒンジ開閉式の扉を利用し、その上端開放側コーナー部に斜めに懸け置くための懸け枠、ヘアードライヤーを保持するアーム、及び当該アームを水平に保つための支脚より構成されるヘアードライヤー固定補助具。
【請求項２】
前記支脚に弾力性と摩擦力を有する材質の間隙ピースを取り付け、前記懸け枠の横幅寸法と収納戸棚の扉の厚みの差異を補完して前記アームを水平に保つと同時に、アームに載せたドライヤーの自重による梃子の作用で当該間隙ピースが扉面に押し付けられ、摩擦力にて懸け枠がずれ動かないようにしたことを特徴とする請求項１に記載のヘアードライヤー固定補助具。
【考案の詳細な説明】
【技術分野】
【０００１】  本考案は家庭用のヘアードライヤーを使用状態で固定する固定補助具に関する。
【背景技術】
【０００２】  家庭用のヘアードライヤーは洗髪後の髪を乾かすのに日常的に使われているが、片手でドライヤーを持ち上げながら、もう片方の手にて頭髪を梳きながら温風を行き渡らせるのが一般的な使用方法である。しかしながら、女性に多い長髪の場合は、片手だけでは頭髪を十分に掻き上げられず、両手を使えればより効率的に早く髪を乾かすことができる。従って、ヘアーライヤーを頭上近くに固定して使用できれば大変便利であり、自在アーム式、スタンド式、またはグリップ式などの固定具（例えば、実用新案文献１、実用新案文献２、実用新案文献３参照）が提案されている。しかしながら、これらは、相応の設置スペースの確保、壁面への固着取付けなどを要し、手軽に使うことができない。
【先行技術文献】
【実用新案文献】
【０００３】
【実用新案文献１】
実開昭６３−１２３２０７号公報
【実用新案文献２】
実開平４−２５６０６号公報
【実用新案文献３】
実開平５−８５３０５号公報
【考案が解決しようとする課題】
【０００４】  入浴後にヘアードライヤー（以下、単にドライヤーという）で長髪をより早く乾かすには、濡れた髪に温風を十分行き渡らせるために両手をフリーにしておくのが効率的であり、そのためにはドライヤーを固定しておく必要があるが、一般家庭の洗面所はスペースが狭く、スタンド式や自在アーム式の固定具は使用や設置において利便性に欠ける。
そこで、洗面台上のスペースを取らず、また壁への固着取付けなどを要せず、簡単な構造で手軽に使える固定補助具が望まれる。
【課題を解決するための手段】
【０００５】  家庭の洗面所には一般的に化粧クリームや洗面用具などを収納する小型の戸棚が壁面に設置されており、当該戸棚にはヒンジ開閉式の扉が付いているのもが多い。本考案はこの扉を利用し、扉を少し開いた状態で、その上端開放側コーナー部に本考案に係る固定補助具を懸け置き、ドライヤーを固定するものである。
【０００６】  前記扉の上端は人の頭の高さより若干上方に位置するのが一般的であり、この高さに本固定補助具を懸け置き、左右方向は扉の開度を調整することにより、適切な位置にドライヤーを固定することができる。
【０００７】  本固定補助具は前記扉上端の開放側コーナー部に斜めに懸け置くための懸け枠、ドライヤーを保持するアーム、及び当該アームを水平に保つための支脚より構成され、一本の金属棒材の折り曲げ加工により簡単に製作できる。
【０００８】  懸け枠は扉の厚さよりやや広い横幅と、ドライヤーの長さの８割程度の縦長を有する矩形の枠を形成し、アームはドライヤーの送風円筒部の底部の前後２か所を側方から支え持つ前縁凹部と後縁湾曲部、及びそれらを繋ぐ側縁部で構成される。また、アームを使用時に水平に保つため、アーム根元の懸け枠と結合する箇所に矩形の支脚を形成する。
【０００９】  支脚の懸け枠側の縦材には間隙ピース（ゴムなど弾力性と摩擦力を有する材質とする）を取り付ける。当該間隙ピースは懸け枠の横幅寸法と扉の厚みの差異を補完すると共に、アームに載せたドライヤーの自重による梃子の作用で当該間隙ピースは扉面に押し付けられ、摩擦力にて懸け枠がずれ動かないように働く。
【００１０】  ドライヤーはその握り部を後縁湾曲部に挟み込む姿勢でアームに載せ置き、ドライヤーの送風円筒部の底部が前縁凹み部と後縁湾曲部の前後２か所で支持される。
【００１１】  ドライヤーの固定姿勢は懸け枠を扉に懸け置く角度で調整するが、懸け枠と扉上端線のなす角度は略１０度〜７５度まで任意に調整可能であり、略１０度でドライヤーの送風円筒部が略水平となり、送風方向も略水平で送風口が最も高い位置となり、略７５度で送風口は最も低い位置となり、かつ送風方向が最も下向きとなる。使用者の身長に合わせてドライヤーの懸け枠の角度を調整する。
【００１２】  収納戸棚の扉の厚みは様々であり、懸け枠の横幅に比し薄い場合は懸け枠のアーム側の縦材を内側に押し込み塑性変形させることで、個々の扉の厚みに適合した寸法に調整する。
【考案の効果】
【００１３】  本考案に係る固定補助具を収納戸棚の扉にセットするだけで、簡単にドライヤーが固定でき、懸け枠を懸け置く角度の調整でドライヤーの固定姿勢の上下の向きを容易に調整でき、また扉の開度を変えてドライヤーの左右の位置も調整できる。
【００１４】  本固定補助具は小型かつ軽量の脱着式であり、使わないときは戸棚等に容易に収納でき邪魔にならない。
【００１５】  本固定補助具は１ｍ足らずの１本の金属棒材の折り曲げ加工で容易に製作でき、製造コストは安価であり、実用に供しやすい。
【図面の簡単な説明】
【００１６】
【図１】本考案の実施形態に係るドライヤー固定補助具の斜視図である。
【図２】本ドライヤー固定補助具の平面視図、正面視図、及び側面図である。
【図３】扉の厚みに合わせての懸け枠の横幅調整を示す平面図である。
【図４】ドライヤーの固定位置の変化を示す側面図である。
【考案を実施するための形態】
【００１７】  以下、本考案の実施形態について図１、図２、図３、及び図４を用いて説明する。
図１は一本の金属棒材の折り曲げ加工にて製作されたドライヤー固定補助具の斜視図である。一筆書きの要領で折り曲げ加工され、始点と終点は懸け枠１の中央付近で結合させる。
扉５の上端の開放側コーナー部に懸け置くための懸け枠１、ドライヤー６を載せるアーム２、及びアーム２を水平に保つための支脚３より構成される。
支脚３の懸け枠側の支脚縦材３ａには間隙ピース４（ゴムなど弾力性と摩擦力を有する材質とする）を取り付ける。
【００１８】  図２（ａ）は本固定補助具の平面視図、（ｂ）は正面視図であるが、懸け枠１の横幅は扉５の一般的な厚さ（２０ｍｍ前後）プラスαとし、縦長はドライヤー６の長さの８割程度の寸法とする。アーム２は後縁湾曲部２ａ、前縁凹部２ｂ、及び側縁部２ｃで構成され、後縁湾曲部２ａはドライヤー６の送風円筒部後方の円周に沿った寸法とし、前縁凹部２ｂは当該送風円筒部前方を支えるべく若干の凹みを持たせる。
【００１９】  図２（ｂ）に示す通り、支脚３は扉面に垂直な面内で矩形を形成し、支脚縦材３ａには間隙ピース４を設ける。間隙ピース４は懸け枠１の横幅と扉５の厚さの差異αを補完し、アーム２を水平に保つ。
【００２０】  図２（ｃ）は側面図であるが、懸け枠１を懸け置く角度θを変えることにより、ドライヤー６の固定姿勢の傾きを調整できる。懸け枠１を角度θが小さい状況に懸け置いた場合はドライヤー６の自重で懸け枠１が垂下する方向に動こうとするが、同時にアーム２に掛かるドライヤー６の自重による梃子の作用で間隙ピース４が扉面に押し付けられ、摩擦により懸け枠１の下がりが制止される。間隙ピース４は弾力性を有し、摩擦係数の大きいゴムなどの材質が望ましい。
【００２１】  図３の平面図に示す通り、扉５の厚みは様々であり、懸け枠１の横幅に比し薄い場合は懸け枠１のアーム側の縦材を内側に押し込み塑性変形（変形量ｓ）させることで、個々の扉の厚みに適合した寸法に調整する。
【００２２】  図４の側面図に示す通り、懸け枠１の懸け置く角度θに応じ、ドライヤー６の送風口の高さ位置と送風方向が一義的に決まるが、最上位のポジション（図中のＨ）と最下位のポジション（図中のＬ）では、ドライヤー６の全長程度の高低差が生じ、使用者の身長差にも対応できる。
【００２３】  尚、実施形態として金属棒材で製作する例を示したが、これに代え、プラスチックなどの素材を用い、前記の懸け枠１、アーム２、支脚３を一体成型で製作してもよい。
【符号の説明】
【００２４】１  懸け枠
２  アーム
２ａ  後縁湾曲部
２ｂ  前縁凹み部
２ｃ  側縁部
３  支脚
３ａ  支脚縦材
４  間隙ピース
５  扉
６  ヘアードライヤー
【図１】
0003204137.tif 000003
【図２】
0003204137.tif 000004
【図３】
0003204137.tif 000005
【図４】
0003204137.tif 000006